(57)【特許請求の範囲】
【請求項１】
草を刈るモアーと、モアーで刈り取られた刈草を搬送するブロワーと、ブロワーで搬送された刈草を収容するコレクターと、を備え、
左前輪および右前輪と、
前記左前輪および前記右前輪の内の一方の後方に配置されたラジエーターと、
油圧オイルまたは燃料を収容するタンクと、
前記ラジエーターを保護するマッドガードと、
を備え、
前記ラジエーターが前記左前輪の後方に配置される場合には、前記タンクの全部または一部は前記左前輪の上方に配置され、前記マッドガードは前記左前輪と前記ラジエーターとの間に配置され、
前記ラジエーターが前記右前輪の後方に配置される場合には、前記タンクの全部または一部は前記右前輪の上方に配置され、前記マッドガードは前記右前輪と前記ラジエーターとの間に配置し、
前記タンクの下面は、その下方に位置する、前記左前輪および前記右前輪の内の少なくとも一方に沿った形状とし、
前記タンクの前記下面の後部には、ドレンが設けられることを特徴とする乗用草刈機。
【請求項２】
前記ラジエーターの前側を支持することによって、前記ラジエーターを走行車体に取付けるラジエーター取付けフレームと、
前記マッドガードを前記ラジエーター取付けフレームに取付けるマッドガード取付け部材と、
を備え、
前記マッドガード取付け部材の前側は、前記マッドガードの後面に接続され、
前記マッドガード取付け部材の後側は、前記ラジエーター取付けフレームに連結されることを特徴とする、請求項１に記載の乗用草刈機。
【請求項３】
前記マッドガードは、その前端部の位置がその後端部の位置より高い、前後方向に傾斜した姿勢をもち、
前記マッドガードの前記前端部は、前記ドレンよりも前方に位置し、
前記マッドガードの前記後端部は、前記ラジエーターの下面よりも下方に位置することを特徴とする、請求項１または２に記載の乗用草刈機。
【請求項４】
前記マッドガードは、前記ラジエーターの前面と平行な姿勢をもち、
前記マッドガードは、前記ドレンよりも後方に位置し、
前記マッドガードの下端部は、前記ラジエーターの下面よりも下方に位置することを特徴とする、請求項１または２に記載の乗用草刈機。
【請求項５】
前記マッドガードの前記下端部は、後方に向かって折り曲げられていることを特徴とする、請求項４に記載の乗用草刈機。
【発明の詳細な説明】
【技術分野】
【０００１】
本発明は、乗用草刈機などの作業車両に関する。
【背景技術】
【０００２】
乗用草刈機などの作業車両は、たとえば、左前輪の後方に配置されたラジエーターを備える。
【０００３】
ラジエーターは、エンジンの過熱を抑制するユニットである。
【０００４】
このような作業車両においては、泥土が左前輪の回転にともなって後方に飛散し、ラジエーターネットなどのラジエーターのカバー部分に付着してしまう恐れがある。
【０００５】
そこで、ラジエーターを保護するマッドガードを備え、マッドガードは左前輪とラジエーターとの間に配置される作業車両が知られている（たとえば、特許文献１参照）。
【先行技術文献】
【特許文献】
【０００６】
【特許文献１】欧州特許出願公開第２３８４９２０号明細書
【発明の概要】
【発明が解決しようとする課題】
【０００７】
しかしながら、前述された従来の作業車両においては、マッドガードのサイズが大きくなってしまう恐れがあった。
【０００８】
本発明は、前述された従来の課題を考慮し、マッドガードのサイズが大きくなってしまう恐れを低減することが可能な作業車両を提供することを目的とする。
【課題を解決するための手段】
【０００９】
第１の本発明は、
草を刈るモアーと、モアーで刈り取られた刈草を搬送するブロワーと、ブロワーで搬送された刈草を収容するコレクターと、を備え、
左前輪および右前輪と、
前記左前輪および前記右前輪の内の一方の後方に配置されたラジエーターと、
油圧オイルまたは燃料を収容するタンクと、
前記ラジエーターを保護するマッドガードと、
を備え、
前記ラジエーターが前記左前輪の後方に配置される場合には、前記タンクの全部または一部は前記左前輪の上方に配置され、前記マッドガードは前記左前輪と前記ラジエーターとの間に配置され、
前記ラジエーターが前記右前輪の後方に配置される場合には、前記タンクの全部または一部は前記右前輪の上方に配置され、前記マッドガードは前記右前輪と前記ラジエーターとの間に配置し、
前記タンクの下面は、その下方に位置する、前記左前輪および前記右前輪の内の少なくとも一方に沿った形状とし、
前記タンクの前記下面の後部には、ドレンが設けられることを特徴とする乗用草刈機である。
【００１０】
これにより、ラジエーターが左前輪の後方に配置される場合には、タンクの全部または一部は左前輪の上方に配置され、マッドガードは左前輪とラジエーターとの間に配置され、ラジエーターが右前輪の後方に配置される場合には、タンクの全部または一部は右前輪の上方に配置され、マッドガードは右前輪とラジエーターとの間に配置されるので、マッドガードのサイズが大きくなってしまう恐れを低減することが可能である。
【００１１】
第２の本発明は、
前記ラジエーターの前側を支持することによって、前記ラジエーターを走行車体に取付けるラジエーター取付けフレームと、
前記マッドガードを前記ラジエーター取付けフレームに取付けるマッドガード取付け部材と、
を備え、
前記マッドガード取付け部材の前側は、前記マッドガードの後面に接続され、
前記マッドガード取付け部材の後側は、前記ラジエーター取付けフレームに連結されることを特徴とする、請求項１に記載の乗用草刈機である。
【００１２】
これにより、マッドガード取付け部材の前側は、マッドガードの後面に接続され、マッドガード取付け部材の後側は、ラジエーター取付けフレームに連結されるので、マッドガードを取付ける構成が複雑化してしまう恐れを低減することが可能である。
【００１３】
第３の本発明は、
前記マッドガードは、その前端部の位置がその後端部の位置より高い、前後方向に傾斜した姿勢をもち、
前記マッドガードの前記前端部は、前記ドレンよりも前方に位置し、
前記マッドガードの前記後端部は、前記ラジエーターの下面よりも下方に位置することを特徴とする、請求項１または２に記載の乗用草刈機である。
【００１４】
これにより、マッドガードは、その前端部の位置がその後端部の位置より高い、前後方向に傾斜した姿勢をもち、タンクの下面の後部には、ドレンが設けられ、マッドガードの前端部は、ドレンよりも前方に位置するので、ドレンからの円滑な排出が阻害されてしまう恐れを低減することが可能である。
【００１５】
第４の本発明は、
前記マッドガードは、前記ラジエーターの前面と平行な姿勢をもち、
前記マッドガードは、前記ドレンよりも後方に位置し、
前記マッドガードの下端部は、前記ラジエーターの下面よりも下方に位置することを特徴とする、請求項１または２に記載の乗用草刈機である。
【００１６】
これにより、マッドガードは、ラジエーターの前面と平行な姿勢をもち、タンクの下面の後部には、ドレンが設けられ、マッドガードは、ドレンよりも後方に位置するので、ドレンからの円滑な排出が阻害されてしまう恐れを低減することが可能である。
【００１７】
第５の本発明は、前記マッドガードの前記下端部は、後方に向かって折り曲げられていることを特徴とする、請求項４に記載の乗用草刈機である。
【００１８】
これにより、マッドガードの下端部は、後方に向かって折り曲げられているので、マッドガードが圃場面と干渉してしまう恐れを低減することが可能である。
【発明の効果】
【００１９】
本発明によって、マッドガードのサイズが大きくなってしまう恐れを低減することが可能な作業車両を提供することができる。
【図面の簡単な説明】
【００２０】
【図１】本発明における実施の形態の乗用草刈機の右側面図
【図２】本発明における実施の形態の乗用草刈機の上面図
【図３】（ａ）本発明における実施の形態の乗用草刈機の右前輪近傍の部分正面図、（ｂ）本発明における実施の形態の乗用草刈機の右前輪近傍の部分右側面図
【図４】本発明における実施の形態の乗用草刈機のマッドガードおよびマッドガード取付け部材の斜視図
【図５】（ａ）本発明における実施の形態の乗用草刈機のマッドガードおよびマッドガード取付け部材の左側面図、（ｂ）本発明における実施の形態の乗用草刈機のマッドガードおよびマッドガード取付け部材の上面図、（ｃ）本発明における実施の形態の乗用草刈機のマッドガードおよびマッドガード取付け部材の背面図
【図６】（ａ）本発明における別の実施の形態の乗用草刈機の右前輪近傍の部分正面図、（ｂ）本発明における別の実施の形態の乗用草刈機の右前輪近傍の部分右側面図
【図７】本発明における別の実施の形態の乗用草刈機のマッドガードおよびマッドガード取付け部材の斜視図
【図８】（ａ）本発明における別の実施の形態の乗用草刈機のマッドガードおよびマッドガード取付け部材の左側面図、（ｂ）本発明における別の実施の形態の乗用草刈機のマッドガードおよびマッドガード取付け部材の背面図
【発明を実施するための形態】
【００２１】
以下、図面を参照しながら、本発明における実施の形態について詳細に説明する。
【００２２】
まず、図１および２を参照しながら、本実施の形態の乗用草刈機の構成および動作について具体的に説明する。
【００２３】
ここに、図１は本発明における実施の形態の乗用草刈機の右側面図であり、図２は本発明における実施の形態の乗用草刈機の上面図である。
【００２４】
図２においては、当該構成の理解をより容易にするために、コレクター３０００などは示されていない。
【００２５】
作業車両としての本実施の形態の乗用草刈機は、モアー１０００と、ブロワー２０００と、コレクター３０００と、を備えている。
【００２６】
モアー１０００は、上面がモアーデッキ天板部材１２００で被覆され下面が開放されたモアーデッキ１１００を有する、草を刈り取るユニットである。
【００２７】
ブロワー２０００は、刈り取られた草を吸引するユニットである。
【００２８】
コレクター３０００は、吸引された草を収容するユニットである。
【００２９】
左前輪５３１０Ｌおよび右前輪５３１０Ｒ、ならびに左後輪５４１０Ｌおよび右後輪５４１０Ｒによって支持される走行車体５０００の前部には、作業者が運転を行うための操縦部５５３０が設けられている。
【００３０】
操縦部５５３０には、作業者が操縦を行うためのステアリングハンドル５５３１が設けられている。もちろん、操縦部５５３０には、作業者が操縦を行うときに座る椅子（図示省略）なども設けられている。
【００３１】
モアー１０００とブロワー２０００とは、刈り取られた草を搬送する刈草搬送シュート５５４０によって連通されている。
【００３２】
ブロワー２０００によって搬送されてくる草は、シューター５５５０を通ってコレクター３０００内に排出される。
【００３３】
走行車体５０００の左右両側には、支柱５５６０が設けられている。
【００３４】
支柱５５６０は、操縦部５５３０よりも後側に位置している。
【００３５】
そして、支柱５５６０には、コレクタードア３１００の開閉をともなうコレクター３０００のダンプ動作を行うための昇降リンク機構５５７０の前端が連結されている。
【００３６】
左右方向のフレーム部材５５２０によって支持される昇降リンク機構フレーム部材５５７１は、昇降リンク機構５５７０の後端に設けられており、コレクター３０００の後側を左右方向に通過している。
【００３７】
エンジン５１００によって発生された動力は、ブロワー２０００とエンジン５１００との中間に設けられたトランスミッションケース５２００によってブロワー２０００に伝達される。
【００３８】
ＨＳＴ（Ｈｙｄｒｏ    Ｓｔａｔｉｃ    Ｔｒａｎｓｍｉｓｓｉｏｎ）５５１０は、左後輪５４１０Ｌおよび右後輪５４１０Ｒのアクスルケース（図示省略）の上側に配置されている。
【００３９】
つぎに、図１および２を主として参照しながら、本実施の形態の乗用草刈機の構成および動作についてより具体的に説明する。
【００４０】
ラジエーター２００は、右前輪５３１０Ｒの後方に配置されたユニットである。
【００４１】
タンク１００は、油圧オイルを収容するユニットである。
【００４２】
なお、本実施の形態においてはタンク１００が昇降リンク機構５５７０のための油圧オイルを収容するが、タンク１００がエンジン５１００のための燃料を収容してもよい。もちろん、油圧オイルは昇降リンク機構５５７０以外の機構のための油圧オイルであってもよいし、燃料はエンジン５１００以外の機構のための燃料であってもよい。
【００４３】
マッドガード４００は、ラジエーター２００を保護するユニットである。
【００４４】
タンク１００の全部は右前輪５３１０Ｒの上方に配置され、マッドガード４００は右前輪５３１０Ｒとラジエーター２００との間に配置される。
【００４５】
マッドガード４００が右前輪５３１０Ｒとラジエーター２００との間に装備されるので、泥土が右前輪５３１０Ｒの回転にともなって後方に飛散し、ラジエーターネット２０１などのラジエーター２００のカバー部分に付着してしまう恐れがほとんどない。
【００４６】
そして、タンク１００は右前輪５３１０Ｒの上側を覆うので、マッドガード４００は右前輪５３１０Ｒの後側を覆えば十分であり、マッドガード４００のサイズが大きくなってしまう恐れがほとんどない。
【００４７】
なお、本実施の形態においてはタンク１００の全部が右前輪５３１０Ｒの上方に配置されるが、タンク１００の一部が右前輪５３１０Ｒの上方に配置されてもよい。もちろん、タンク１００は、左右方向の幅が比較的に大きく、左前輪５３１０Ｌおよび右前輪５３１０Ｒの両方の上方に跨って配置された一つのタンクであってもよいし、左右方向の幅が比較的に小さく、左前輪５３１０Ｌおよび右前輪５３１０Ｒの一方の上方にそれぞれ配置された二つのタンクであってもよい。
【００４８】
また、本実施の形態においてはラジエーター２００が右前輪５３１０Ｒの後方に配置されるが、ラジエーター２００が左前輪５３１０Ｌの後方に配置されてもよく、つまり、ラジエーター２００は左前輪５３１０Ｌおよび右前輪５３１０Ｒの内の一方の後方に配置されればよい。もちろん、ラジエーター２００が左前輪５３１０Ｌの後方に配置される場合には、タンク１００の全部または一部は左前輪５３１０Ｌの上方に配置され、マッドガード４００は左前輪５３１０Ｌとラジエーター２００との間に配置される。
【００４９】
つぎに、図３（ａ）および（ｂ）を主として参照しながら、本実施の形態の乗用草刈機の構成および動作についてもっとより具体的に説明する。
【００５０】
ここに、図３（ａ）は本発明における実施の形態の乗用草刈機の右前輪５３１０Ｒ近傍の部分正面図であり、図３（ｂ）は本発明における実施の形態の乗用草刈機の右前輪５３１０Ｒ近傍の部分右側面図である。
【００５１】
ラジエーター取付けフレーム３００は、ラジエーター２００の前側を支持することによって、ラジエーター２００を走行車体５０００に取付けるフレームである。
【００５２】
マッドガード取付け部材５００は、マッドガード４００をラジエーター取付けフレーム３００に取付ける部材である。
【００５３】
マッドガード取付け部材５００の前側は、マッドガード４００の後面としてのマッドガード面４００ａに接続される。
【００５４】
マッドガード取付け部材５００の後側は、ラジエーター取付けフレーム３００に連結される。
【００５５】
走行車体５０００に接続されたラジエーター取付けフレーム３００にマッドガード取付け部材５００を介してマッドガード４００を取付ける構成は簡素であり、マッドガード４００が走行車体５０００の周辺部材を利用して効率的に装備されるので、マッドガード４００を取付ける構成が複雑化してしまう恐れがほとんどない。
【００５６】
タンク１００の下面としてのタンク面１００ａは、その下方に位置する、左前輪５３１０Ｌおよび右前輪５３１０Ｒの内の少なくとも一方に沿った形状をもつ。
【００５７】
マッドガード４００の前面であるマッドガード面４００ｂはタンク面１００ａと連続し、右前輪５３１０Ｒの上側および後側はタンク１００およびマッドガード４００によってほぼ完全に覆われるので、右前輪５３１０Ｒの回転にともなって後方に飛散した泥土がラジエーター２００のカバー部分に付着してしまう恐れがほとんどない。
【００５８】
マッドガード４００は、その前端部としてのマッドガード端部４００ｘの位置がその後端部としてのマッドガード端部４００ｙの位置より高い、前後方向に傾斜した姿勢をもつ。
【００５９】
マッドガード４００は前後方向に傾斜した姿勢をもつので、右前輪５３１０Ｒの回転にともなって後方に飛散し、斜め後下がりのマッドガード面４００ｂに付着した泥土の大部分はマッドガード面４００ｂに定着せず自重のために自然落下する。
【００６０】
タンク１００の下面としてのタンク面１００ａの後部には、ドレン１１０が設けられる。
【００６１】
マッドガード４００の前端部としてのマッドガード端部４００ｘは、ドレン１１０よりも前方に位置する。
【００６２】
タンク面１００ａはドレン１１０が設けられた平坦部分をマッドガード面４００ｂと連続した斜め後下がりの傾斜部分の後方に有し、ドレン１１０はマッドガード取付け部材５００の外端面よりも外側にあるので、ドレン１１０からの円滑な排出が阻害されてしまう恐れがほとんどない。
【００６３】
マッドガード４００の後端部としてのマッドガード端部４００ｙは、ラジエーター２００の下面としてのラジエーター面２００ａよりも下方に位置する。
【００６４】
マッドガード端部４００ｙはラジエーターネット２０１の下方に近接するので、右前輪５３１０Ｒの回転にともなって後方に飛散した泥土がラジエーターネット２０１などに付着してしまう恐れがほとんどない。
【００６５】
そして、マッドガード端部４００ｙの圃場面からの高さｈは最低地上高を規定するトランスミッションケース５２００の下面の圃場面からの高さよりも大きいので、最低地上高がマッドガード４００の装備にともなって小さくならず、走行が起伏をもつ圃場において行われるときにおいても、マッドガード４００が圃場面と干渉してしまう恐れがほとんどない。
【００６６】
さらに、マッドガード４００の外端部であるマッドガード端部４００ｚは右前輪５３１０Ｒの外端面よりもδ＝２２．５［ｃｍ］程度は内側にあるので、壁または樹木の周囲における作業が行われるときにおいても、マッドガード４００がこれらと干渉してしまう恐れがほとんどない。
【００６７】
図４および図５（ａ）〜（ｃ）を主として参照しながら、マッドガード４００およびマッドガード取付け部材５００についてより詳しく説明すると、つぎの通りである。
【００６８】
ここに、図４は本発明における実施の形態の乗用草刈機のマッドガード４００およびマッドガード取付け部材５００の斜視図であり、図５（ａ）は本発明における実施の形態の乗用草刈機のマッドガード４００およびマッドガード取付け部材５００の左側面図であり、図５（ｂ）は本発明における実施の形態の乗用草刈機のマッドガード４００およびマッドガード取付け部材５００の上面図であり、図５（ｃ）は本発明における実施の形態の乗用草刈機のマッドガード４００およびマッドガード取付け部材５００の背面図である。
【００６９】
ラジエーター取付けフレーム３００に取付けられたマッドガード４００は、前述されたように、前後方向に傾斜した姿勢をもつが、マッドガード４００およびマッドガード取付け部材５００は、図４および図５（ａ）〜（ｃ）においては、マッドガード４００が鉛直面内に含まれるように示されている。
【００７０】
マッドガード４００は、四つの角部が切取られた平板形状のプレートである。
【００７１】
マッドガード取付け部材５００は、五つの部分に折り曲げられた、側面視において略Ｕ字形状のプレートである。
【００７２】
より具体的に説明すると、つぎの通りである。
【００７３】
マッドガード取付け部材５００は、上側から下側に向かってこの順番に繋がったマッドガード取付け部材平坦部分５０１〜５０５を有する。
【００７４】
マッドガード取付け部材平坦部分５０１は溶接位置Ｐ１およびＰ２でマッドガード面４００ａに溶接されており、マッドガード取付け部材平坦部分５０５は溶接位置Ｐ３およびＰ４でマッドガード面４００ａに溶接されている。
【００７５】
かくして、前述されたように、マッドガード取付け部材５００の前側は、マッドガード面４００ａに接続される。
【００７６】
マッドガード取付け部材平坦部分５０３は、マッドガード取付け部材平坦部分５０２を介してマッドガード取付け部材平坦部分５０１と繋がっており、マッドガード取付け部材平坦部分５０４を介してマッドガード取付け部材平坦部分５０５と繋がっている。
【００７７】
マッドガード取付け部材平坦部分５０３には、マッドガード取付けボルト孔５１１および５１２が穿孔されている。
【００７８】
マッドガード取付け部材５００をラジエーター取付けフレーム３００に締結するマッドガード取付けボルト５２１および５２２は、マッドガード取付けボルト孔５１１および５１２にそれぞれ挿入されている。
【００７９】
かくして、前述されたように、マッドガード取付け部材５００の後側は、ラジエーター取付けフレーム３００に連結される。
【００８０】
マッドガード取付けボルト孔５１１および５１２は上下方向に並んで穿孔されており、工具スペースが折り曲げられたマッドガード取付け部材５００によって十分に確保されるので、複数のマッドガード取付けボルト５２１および５２２の着脱作業が容易である。
【００８１】
そして、マッドガード取付けボルト５２１および５２２は、マッドガード４００の後面としてのマッドガード面４００ａの側からマッドガード取付けボルト孔５１１および５１２にそれぞれ挿入されており、マッドガード４００の前面であるマッドガード面４００ｂの側に露出する部分を有しないので、右前輪５３１０Ｒの回転にともなって後方に飛散した泥土がマッドガード取付けボルト５２１および５２２に付着してしまう恐れがほとんどない。
【００８２】
なお、マッドガード取付けボルト５２１および５２２は、マッドガード取付け部材５００をラジエーター取付けフレーム３００に締結するためのみならず、ラジエーター２００をラジエーター取付けフレーム３００に締結するために利用されてもよい。マッドガード取付けボルト５２１および５２２がこのようにマッドガード取付け部材５００およびラジエーター２００の取付けに兼用される構成においては、マッドガード取付けボルト５２１および５２２が取外されると、マッドガード４００がマッドガード取付け部材５００とともに取外されるので、ラジエーター２００の取外し作業が容易である。
【００８３】
ところで、以上において詳細に説明された本実施の形態においてはマッドガード４００が前後方向に傾斜した姿勢をもつが、図６（ａ）および（ｂ）に示されているように、マッドガード７００がラジエーター２００の前面としてのラジエーター面２００ｂと平行な姿勢をもってもよい。
【００８４】
ここに、図６（ａ）は本発明における別の実施の形態の乗用草刈機の右前輪５３１０Ｒ近傍の部分正面図であり、図６（ｂ）は本発明における別の実施の形態の乗用草刈機の右前輪５３１０Ｒ近傍の部分右側面図である。
【００８５】
マッドガード７００はラジエーター面２００ｂと平行な姿勢をもち、右前輪５３１０Ｒの上側および後側はタンク１００およびマッドガード７００によってほぼ完全に覆われるので、右前輪５３１０Ｒの回転にともなって後方に飛散した泥土がラジエーター２００のカバー部分に付着してしまう恐れがほとんどない。
【００８６】
このような別の実施の形態の乗用草刈機は、前述された本実施の形態の乗用草刈機と類似しているが、本実施の形態の乗用草刈機とつぎのような点で異なっている。
【００８７】
マッドガード７００は、ドレン１１０よりも後方に位置する。
【００８８】
ドレン１１０はマッドガード７００の前面であるマッドガード面７００ｂよりも前側にあるので、ドレン１１０からの円滑な排出が阻害されてしまう恐れがほとんどない。
【００８９】
マッドガード７００の下端部としてのマッドガード端部７００ｙは、ラジエーター２００の下面としてのラジエーター面２００ａよりも下方に位置する。
【００９０】
マッドガード端部７００ｙはラジエーターネット２０１の下方に近接するので、右前輪５３１０Ｒの回転にともなって後方に飛散した泥土がラジエーターネット２０１などに付着してしまう恐れがほとんどない。
【００９１】
マッドガード７００の下端部としてのマッドガード端部７００ｙは、後方に向かって折り曲げられている。
【００９２】
マッドガード端部７００ｙの圃場面からの高さｈは最低地上高を規定するトランスミッションケース５２００の下面の圃場面からの高さよりも大きいので、最低地上高がマッドガード７００の装備にともなって小さくならず、走行が起伏をもつ圃場において行われるときにおいても、マッドガード７００が圃場面と干渉してしまう恐れがほとんどない。
【００９３】
そして、マッドガード７００の外端部であるマッドガード端部７００ｚは右前輪５３１０Ｒの外端面よりもδ＝２２．５［ｃｍ］程度は内側にあるので、壁または樹木の周囲における作業が行われるときにおいても、マッドガード７００がこれらと干渉してしまう恐れがほとんどない。
【００９４】
図７ならびに図８（ａ）および（ｂ）を主として参照しながら、マッドガード７００およびマッドガード取付け部材８００についてより詳しく説明すると、つぎの通りである。
【００９５】
ここに、図７は本発明における別の実施の形態の乗用草刈機のマッドガード７００およびマッドガード取付け部材８００の斜視図であり、図８（ａ）は本発明における別の実施の形態の乗用草刈機のマッドガード７００およびマッドガード取付け部材８００の左側面図であり、図８（ｂ）は本発明における別の実施の形態の乗用草刈機のマッドガード７００およびマッドガード取付け部材８００の背面図である。
【００９６】
ラジエーター取付けフレーム６００に取付けられたマッドガード７００は、前述されたように、ラジエーター面２００ｂと平行な姿勢をもつが、マッドガード７００およびマッドガード取付け部材８００は、図７においては、マッドガード７００が鉛直面内に含まれるようには示されていない。
【００９７】
マッドガード７００は、二つの部分に折り曲げられ、四つの角部が切取られた略平板形状のプレートである。
【００９８】
マッドガード取付け部材８００は、二つの部分に分かれた、平板形状のプレートである。
【００９９】
より具体的に説明すると、つぎの通りである。
【０１００】
マッドガード７００は、上側から下側に向かってこの順番に繋がったマッドガード平坦部分７０１および７０２を有する。
【０１０１】
マッドガード平坦部分７０１はマッドガード取付け部材８００が接続される本体部分であり、マッドガード平坦部分７０２は後方への折り曲げ部分である。
【０１０２】
マッドガード取付け部材８００は、上側から下側に向かってこの順番に分かれたマッドガード取付け部材平坦部分８０１および８０２を有する。
【０１０３】
マッドガード取付け部材平坦部分８０１は溶接位置Ｑ１〜Ｑ４でマッドガード面７００ａに溶接されており、マッドガード取付け部材平坦部分８０２は溶接位置Ｑ５〜Ｑ８でマッドガード面７００ａに溶接されている。
【０１０４】
かくして、前述されたように、マッドガード取付け部材８００の前側は、マッドガード面７００ａに接続される。
【０１０５】
マッドガード平坦部分７０１およびマッドガード取付け部材平坦部分８０１にはマッドガード取付けボルト孔８１１および８１２が穿孔されており、マッドガード平坦部分７０１およびマッドガード取付け部材平坦部分８０２にはマッドガード取付けボルト孔８１３および８１４が穿孔されている。
【０１０６】
マッドガード７００およびマッドガード取付け部材８００をラジエーター取付けフレーム６００に締結するマッドガード取付けボルト８２１〜８２４は、マッドガード取付けボルト孔８１１〜８１４にそれぞれ挿入されている。
【０１０７】
かくして、前述されたように、マッドガード取付け部材８００の後側は、ラジエーター取付けフレーム６００に連結される。
【０１０８】
マッドガード取付けボルト孔８１１〜８１４は上下方向に並んで穿孔されており、マッドガード取付けボルト８２１〜８２４はマッドガード７００の前面であるマッドガード面７００ｂの側からマッドガード取付けボルト孔８１１〜８１４にそれぞれ挿入されているので、複数のマッドガード取付けボルト８２１〜８２４の着脱作業が容易である。
【０１０９】
なお、マッドガード取付けボルト８２１〜８２４は、マッドガード取付け部材８００をラジエーター取付けフレーム６００に締結するためのみならず、ラジエーター２００をラジエーター取付けフレーム６００に締結するために利用されてもよい。マッドガード取付けボルト８２１〜８２４がこのようにマッドガード取付け部材８００およびラジエーター２００の取付けに兼用される構成においては、マッドガード取付けボルト８２１〜８２４が取外されると、マッドガード７００がマッドガード取付け部材８００とともに取外されるので、ラジエーター２００の取外し作業が容易である。
【産業上の利用可能性】
【０１１０】
本発明における作業車両は、マッドガードのサイズが大きくなってしまう恐れを低減することが可能であり、乗用草刈機などの作業車両に利用する目的に有用である。
【符号の説明】
【０１１１】
１００    タンク
１００ａ    タンク面
１１０    ドレン
２００    ラジエーター
２００ａ、２００ｂ    ラジエーター面
２０１    ラジエーターネット
３００    ラジエーター取付けフレーム
４００    マッドガード
４００ａ、４００ｂ    マッドガード面
４００ｘ、４００ｙ、４００ｚ    マッドガード端部
５００    マッドガード取付け部材
５０１〜５０５    マッドガード取付け部材平坦部分
５１１、５１２    マッドガード取付けボルト孔
５２１、５２２    マッドガード取付けボルト
６００    ラジエーター取付けフレーム
７００    マッドガード
７００ａ、７００ｂ    マッドガード面
７００ｙ、７００ｚ    マッドガード端部
７０１、７０２    マッドガード平坦部分
８００    マッドガード取付け部材
８０１、８０２    マッドガード取付け部材平坦部分
８１１〜８１４    マッドガード取付けボルト孔
８２１〜８２４    マッドガード取付けボルト
１０００    モアー
１１００    モアーデッキ
１２００    モアーデッキ天板部材
２０００    ブロワー
３０００    コレクター
３１００    コレクタードア
５０００    走行車体
５１００    エンジン
５２００    トランスミッションケース
５３１０Ｌ    左前輪
５３１０Ｒ    右前輪
５４１０Ｌ    左後輪
５４１０Ｒ    右後輪
５５１０    ＨＳＴ
５５２０    フレーム部材
５５３０    操縦部
５５３１    ステアリングハンドル
５５４０    刈草搬送シュート
５５５０    シューター
５５６０    支柱
５５７０    昇降リンク機構
５５７１    昇降リンク機構フレーム部材
【図１】
0006421684.tif 000002
【図２】
0006421684.tif 000003
【図３】
0006421684.tif 000004
【図４】
0006421684.tif 000005
【図５】
0006421684.tif 000006
【図６】
0006421684.tif 000007
【図７】
0006421684.tif 000008
【図８】
0006421684.tif 000009